(57)【特許請求の範囲】
【請求項１】
可撓性を有するシート材料からなる容器本体と該容器本体の口部に装着され且つポンプ本体及びノズル部を有するポンプ装置とを備えた第１及び第２のポンプ付き容器が並設された２連式吐出容器であって、
並設された前記第１及び第２のポンプ付き容器におけるノズル部は、その吐出口を相互に隣接させており、
並設された前記第１及び第２のポンプ付き容器における両方の前記ポンプ装置のポンピング動作を一つの操作で行うためのポンピング手段を備え、
第１及び第２のポンプ付き容器における前記容器本体に内容物を収容し、前記ポンピング手段を用いてポンピング動作を行ったときに、第１のポンプ付き容器の内容物が、第２のポンプ付き容器の内容物よりも前記ノズル部から先に吐出されるように構成されている２連式吐出容器。
【請求項２】
前記第１のポンプ付き容器における前記ノズル部の流路の長さが、前記第２のポンプ付き容器における前記ノズル部の流路の長さよりも短くなっている請求項１記載の２連式吐出容器。
【請求項３】
前記第１のポンプ付き容器における前記ノズル部の流路の容積が、前記第２のポンプ付き容器における前記ノズル部の流路の容積よりも小さくなっている請求項１又は２に記載の２連式吐出容器。
【請求項４】
前記第１のポンプ付き容器における前記ノズル部の流路は直線状であり、前記第２のポンプ付き容器における前記ノズル部の流路はクランク状である請求項１〜３の何れかに記載の２連式吐出容器。
【請求項５】
前記容器本体は、その一端部が閉塞された筒状体である請求項１〜４の何れかに記載の２連式吐出容器。
【発明の詳細な説明】
【技術分野】
【０００１】
本発明は、ポンプ本体及びノズル部を有するポンプ装置を備えたポンプ付き容器が２個並設された２連式吐出容器に関する。
【背景技術】
【０００２】
２剤式染毛剤等のような、２種類の剤（第１剤、第２剤）を使用直前に混合させてから使用する商品は、第１剤及び第２剤がそれぞれ個別の容器に充填されている。このような商品の容器として、並設された２個の容器それぞれから第１剤及び第２剤を一つの操作で吐出できるようにした２連式吐出容器が知られている（例えば特許文献１，２参照）。
【０００３】
【特許文献１】特開２００２−１１９３２８号公報
【特許文献２】特開２００６−３０６４７８号公報
【発明の開示】
【発明が解決しようとする課題】
【０００４】
特許文献１に記載されているような、並設された２個のエアゾール容器からなる２連式吐出容器は、エアゾール容器の内容物が高粘度であると、その吐出に問題が起き易く、扱いにくいことから、低粘度の内容物用の吐出容器として主に用いられていた。
【０００５】
一方、高粘度の内容物を収容する吐出容器としては、ポンプ付き容器が広く用いられている。特許文献２に記載されているような、並設された２個のポンプ付き容器からなる２連式吐出容器においても、ポンプ付き容器が高粘度の内容物の吐出容器として向いていることもあり、高粘度の内容物が想定される場合が多い。
【０００６】
ところで、２連式吐出容器において、例えば、第１剤が染毛成分で、第２剤が酸化剤である２剤式の染毛剤を収容した場合、第１剤と第２剤が適切なタイミングで吐出されないことがある。
すなわち、従来の染毛剤は、２つの剤を同時に吐出することを前提とした設計となっていたが、一般に第２剤の方が第１剤よりも粘度が低いことから、従来の２連式吐出容器をそのまま用いると第２剤が先に吐出されてしまう。しかしながら、製品の設計によっては、第１剤が髪に染みこんでから反応するように、第１剤が先に吐出される方が好ましい。
【０００７】
従って、本発明の目的は、ポンプ本体及びノズル部を有するポンプ装置を備えたポンプ付き容器が２個並設された２連式吐出容器において、２個のポンプ付き容器にそれぞれ収容された２つの剤を、製品設計通りのタイミングで吐出させることができる２連式吐出容器を提供することにある。
【課題を解決するための手段】
【０００８】
本発明は、可撓性を有するシート材料からなる容器本体と該容器本体の口部に装着され且つポンプ本体及びノズル部を有するポンプ装置とを備えた第１及び第２のポンプ付き容器が並設された２連式吐出容器であって、並設された前記第１及び第２のポンプ付き容器におけるノズル部は、その吐出口を相互に隣接させており、並設された前記第１及び第２のポンプ付き容器における両方の前記ポンプ装置のポンピング動作を一つの操作で行うためのポンピング手段を備え、第１及び第２のポンプ付き容器における前記容器本体に内容物を収容し、前記ポンピング手段を用いてポンピング動作を行ったときに、第１のポンプ付き容器の内容物が、第２のポンプ付き容器の内容物よりも前記ノズル部から先に吐出されるように構成されている２連式吐出容器を提供することにより、上記目的を達成したものである。
【発明の効果】
【０００９】
本発明の２連式吐出容器によれば、ポンプ本体及びノズル部を有するポンプ装置を備えたポンプ付き容器が２個並設された２連式吐出容器において、一方のポンプ付き容器の内容物を、他方のポンプ付き容器の内容物に対して適切なタイミングで吐出させることができる。
【発明を実施するための最良の形態】
【００１０】
以下に、本発明の２連式吐出容器について、その好ましい一実施形態である第１実施形態に基づき図面を参照しながら説明する。
第１実施形態の２連式吐出容器１は、図１〜図３に示すように、容器本体１１とポンプ装置１３とを備えた第１及び第２のポンプ付き容器１０，１０が２個並設された２連式吐出容器である。容器本体１１は、可撓性を有するシート材料からなり、その一端部１１ａが閉塞された筒状体である。ポンプ装置１３は、容器本体１１の口部１１ｂに装着されており、ポンプ本体１５及びノズル部１４を有している。
また、第１実施形態の２連式吐出容器１は、２個のポンプ付き容器１０，１０を並設した状態で保持するホルダ５と、ポンプ装置１３のポンピング動作を行うポンピング手段６とを備えている。
【００１１】
まず、ポンプ付き容器１０について説明する。上述のように、容器本体１１は、可撓性を有するシート材料からなり、口部１１ｂとは反対側の一端部（「下端部」ともいう）１１ａが閉塞された筒状体である。容器本体１１は、例えば内径が１０〜５０ｍｍ程度、高さ（長さ）が７０〜２００ｍｍ程度の円筒状に形成される。
【００１２】
容器本体１１には、例えば、染毛剤、接着剤、練り歯磨等の２剤式の内容物（図示せず）が収容されている。第１のポンプ付き容器１０（１０Ｐ）の内容物は、第２のポンプ付き容器１０（１０Ｑ）の内容物よりも先にノズル部１４から吐出される必要がある物性を有している。本実施形態においては、第１のポンプ付き容器１０Ｐの内容物及び第２のポンプ付き容器１０Ｑの内容物は、それぞれ２剤式の染毛剤の第１剤及び第２剤であり、第１剤は、前述した理由により、第２剤よりも先にノズル部１４から吐出される必要がある。容器本体１１に収容されている内容物は、ポンプ装置１３のポンプ作用によって吸引され、ノズル部１４から吐出される。なお、本第１実施形態では、容器本体１１にそれぞれ異なった種類の内容物が収容されれているが、使用状態によっては、同一の種類の内容物を収容しても良い。
【００１３】
内容物が酸素により劣化するもの（例えば染毛剤）である場合には、該内容物の劣化を防止するために、容器本体１１は、酸素バリア性を有するシート材料からなることが好ましい。そのようなシート材料としては、例えばアルミラミネート樹脂が挙げられる。
容器本体１１の下端部１１ａは、例えば、次のように閉塞される。まず、口部１１ｂにポンプ装置１３を固定する。ポンプ付チューブ容器を形成する際における常法に従って、下端部１１ａから容器本体１１に内容物を充填収容する。その後、下端部１１ａを平坦状に押し潰しつつ、公知のヒートシール手段を用いて、アルミラミネート樹脂シートにおける最内層のシーラント層同士をヒートシールする。
【００１４】
容器本体１１の口部１１ｂに固定されるポンプ装置１３は、一般にポリオレフィン樹脂等の合成樹脂からなり、ポンプ本体１５及びノズル部１４から構成される。
ポンプ本体１５は、その内部に、計量室１９を含む公知のポンプ機構を備える。また、ポンプ本体１５は、容器本体１１の口部１１ｂの内周面１１ｃと密着する外周面部分１６を有しており、外周面部分１６が内周面１１ｃに密着されて容器本体１１で覆われた状態で、口部１１ｂに固定されるようになっている。
【００１５】
ポンプ本体１５は、円筒スリーブ形状の外周面部分１６によって、その外殻部が構成されている。外周面部分１６は、容器本体１１の内径と同じか、僅かに大きい外径を有しており、そのため、外周面部分１６の外周面は、ポンプ本体１５が容器本体１１の口部１１ｂに挿入装着された際に、口部１１ｂの内周面１１ｃと強固に密着する。
【００１６】
ポンプ本体１５の外周面部分１６の外周面は、ヒートシール性を有するポリオレフィン樹脂等からなる。そして、容器本体１１の口部１１ｂにポンプ本体１５を装着した後に、公知のヒートシール手段を用いて容器本体１１の外側からヒートシールを施すことにより、ポンプ本体１５の外周面部分１６の外周面と容器本体１１の口部１１ｂの内周面１１ｃとを、気密な状態で強固に密着接合することが可能になる。
【００１７】
ポンプ本体１５は、図３に示すように、シリンダー２０、ピストン２１、吸入弁２２、吐出弁２３、ステム２６、ステム押さえ２７、スプリング２８、スプリング押さえ２９等を備えている。シリンダー２０は、円筒状で、その下端部に吸入弁２２が設けられている。ピストン２１は、シリンダー２０の内面を密着摺動するもので、その下端部に吐出弁２３が設けられている。シリンダー２０の内面及び吸入弁２２並びにピストン２１の吐出弁２３によって閉鎖される空間から、計量室１９が形成される。
【００１８】
ステム２６は、ピストン２１の上部に連結された筒状の部材である。ステム押さえ２７は、ステム２６のつば部を上方から押さえ付け、ステム２６の上方への移動を阻害している。スプリング押さえ２９は、ステム２６の上部に連結された筒状の部材である。
【００１９】
ステム押さえ２７とスプリング押さえ２９との間には、スプリング２８が介在している。従って、スプリング押さえ２９には、スプリング２８の弾性力によって、ステム押さえ２７から離間する方向に常時、付勢されている。
【００２０】
ノズル部１４は、図１及び図２に示すように、ポンプ本体１５から上方に突出して設けられており、その下部に連結されたスプリング押さえ２９及びステム２６を介してピストン２１に連結されている（図３参照）。第１のポンプ付き容器１０Ｐにおけるノズル部１４の流路１４ｂは直線状であり、第２のポンプ付き容器１０Ｑにおけるノズル部１４の流路１４ｂはクランク状である。
【００２１】
このように構成されたポンプ装置１３によれば、ノズル部１４の押圧操作を繰り返すことにより（本実施形態は、後述するように、ポンピング手段６であるレバーの操作により、ノズル部１４の押圧操作が行われる）、ピストン２１をシリンダー２０に対して密着摺動させ、そのポンプ作用によって、容器本体１１から吸入弁２２を介して内容物を計量室１９に吸引することができる。そして、計量室１９に吸引された内容物を、吐出弁２３、ステム２６、スプリング押さえ２９等を介して、ノズル部１４の吐出口１４ａから必要量吐出することができる。
【００２２】
本実施形態の２連式吐出容器１においては、前述した構成を有するポンプ装置１３が、並設された２個のポンプ付き容器１０，１０にそれぞれ設けられている。そして、並設された２個のポンプ付き容器１０，１０における各ノズル部１４，１４は、その吐出口１４ａ，１４ａ近傍において一体化しており、吐出口１４ａ，１４ａを隣接させている。そのため、並設された２個のポンプ付き容器１０，１０それぞれに充填されている第１剤及び第２剤は、隣接する吐出口１４ａ，１４ａから吐出されることになるため、第１剤及び第２剤は、実質的に同じ位置に吐出されることになる。２個のノズル部１４，１４の流路１４ｂ，１４ｂは、その断面積が実質的に同じになっている。
【００２３】
次にホルダ５について説明する。ホルダ５は、２個のポンプ付き容器１０，１０を並設した状態で保持する部材である。ホルダ５は、ポンプ付き容器１０を保持可能な保持部５１，５１を２個並設しており、本実施形態における保持部５１は、容器本体１１の口部１１ｂを、直接的に又は他の部材を介して間接的に保持可能になっている。
【００２４】
ホルダ５は、保持部５１に、ポンプ付き容器１０を着脱自在に構成されている。ポンプ付き容器１０が着脱自在な構成については特に制限はなく、例えば、凸部を凹部に嵌め込むことによる嵌着、雄ネジと雌ネジとをネジ込むことによる螺着が挙げられる。本実施形態においては、嵌着が用いられている。
【００２５】
ホルダ５の外面は、保持部５１に保持されたポンプ付き容器１０における容器本体１１の口部１１ｂを被覆する被覆部５２を形成している。被覆部５２は、その内側にポンプ本体１５が位置するように構成されていることが好ましい。本実施形態においては、第２のポンプ付き容器１０Ｑは、そのポンプ本体１５が被覆部５２の内側に位置しているが、第１のポンプ付き容器１０Ｐは、そのポンプ本体１５が被覆部５２の内側だけでなく、外側にも位置している。
【００２６】
次にポンピング手段６について説明する。ポンピング手段６は、ポンプ装置１３のポンピング動作を行うもので、第１実施形態においては、並設された２個のポンプ付き容器１０，１０における各ポンプ装置１３，１３のポンピング動作を一つの操作で行うことができるように構成されている。また、ポンピング手段６は、ホルダ５に可動自在に取り付けられている。
【００２７】
第１実施形態においては、ポンピング手段６は、図２に示すように、略直角に屈曲したレバー形状を有しており、その基端部６Ａが回動軸６１を回動支点として、ホルダ５の上部の端部に軸支されている。ポンピング手段６の基端部６Ａから横方向に延びる中間部分６Ｂの上部には、貫通孔６２が設けられている。中間部分６Ｂに貫通孔６２が設けられていることにより、２個のノズル部１４が一体化した吐出口１４ａ近傍の部分は、ポンピング手段６の中間部分６Ｂを貫通して、該中間部分６Ｂの上部から突出する。
【００２８】
ポンピング手段６の中間部分６Ｂには、ノズル部１４に向けて突出する押圧部６４が設けられている。押圧部６４は、第２のポンプ付き容器１０Ｑにおけるノズル部１４における横方向に延びる中間部分１４ｃに当接している。押圧部６４によって、スプリング２８の弾性力によりポンピング手段６に向けて付勢されているノズル部１４は、上方への移動を阻害され、それ以上上方に移動しないようになっている。
【００２９】
ポンピング手段６の把持部６Ｃは、把持しやすい形状を有しており、中間部分６Ｂから略直角下方に屈曲している。従って、ポンピング手段６の把持部６Ｃを把持して、回動軸６１を回動支点としてポンピング手段６を操作すれば、押圧部６４により、並列された２個のポンプ付き容器１０，１０における各ノズル部１４，１４の両方が、下方に向けて（つまり計量室１９に向けて）押圧されるようになっている。
【００３０】
本実施形態においては、ポンピング手段６を用いて、並設された第１のポンプ付き容器１０Ｐ及び第２のポンプ付き容器１０Ｑにおける各ポンプ装置１３，１３のポンピング動作を行ったときに、第１のポンプ付き容器１０Ｐの内容物が、第２のポンプ付き容器１０Ｑの内容物よりもノズル部１４から先に吐出されるように、第１のポンプ付き容器１０Ｐにおけるノズル部１４の流路１４ｂと、第２のポンプ付き容器１０Ｑにおけるノズル部１４の流路１４ｂとが非対称に構成されている。
【００３１】
具体的には、第１実施形態においては、第１のポンプ付き容器１０Ｐにおけるノズル部１４の流路１４ｂの長さＬ１は、第２のポンプ付き容器１０Ｑにおけるノズル部１４の流路１４ｂの長さＬ２よりも短くなっている。長さＬ１と長さＬ２との差や比等については、第１剤及び第２剤の粘度、内容物とノズル部１４の流路１４ｂとの粘性摩擦、ノズル部１４の流路１４ｂの断面積及び屈曲形状等によって適宜設定される。例えば、長さＬ１と長さＬ２との差は２〜１０ｃｍである。長さＬ１と長さＬ２との比（Ｌ１／Ｌ２）は０．３〜０．６である。
【００３２】
また、並設された２個のポンプ付き容器１０Ｐ，１０Ｑにおいて、２個のノズル部１４，１４の流路１４ｂ，１４ｂの断面積が実質的に同じになっているため、第１のポンプ付き容器１０Ｐにおけるノズル部１４の流路１４ｂの容積Ｖ１は、第２のポンプ付き容器１０Ｑにおけるノズル部１４の流路１４ｂの容積Ｖ２よりも小さくなっている。
容積Ｖ１と容積Ｖ２との差や比等については、第１剤及び第２剤の粘度、内容物とノズル部１４の流路１４ｂとの粘性摩擦、ノズル部１４の流路１４ｂの長さ、断面積及び屈曲形状等によって適宜設定される。例えば、容積Ｖ１と容積Ｖ２との差は２〜１０ｃｍ3である。容積Ｖ１と容積Ｖ２との比（Ｖ１／Ｖ２）は０．３〜０．６である。
【００３３】
第１実施形態の２連式吐出容器１は、前述した構成を有しているため、ポンピング手段６を操作することにより、ノズル部１４等を介して、ピストン２１がシリンダー２０の内部を上下動し、ポンプ装置１３のポンピング動作が行われる。
【００３４】
以上の構成を有する第１実施形態の２連式吐出容器１によれば、以下の効果が奏される。
第１実施形態の２連式吐出容器１においては、第１のポンプ付き容器１０Ｐにおけるノズル部１４の流路１４ｂの長さＬ１が、第２のポンプ付き容器１０Ｑにおけるノズル部１４の流路１４ｂの長さＬ２よりも短くなっている。また、第１のポンプ付き容器１０Ｐにおけるノズル部１４の流路１４ｂの容積Ｖ１が、第２のポンプ付き容器１０Ｑにおけるノズル部１４の流路１４ｂの容積Ｖ２よりも小さくなっている。
従って、第１実施形態の２連式吐出容器１によれば、ポンピング手段６を用いて、並設された第１のポンプ付き容器１０Ｐ及び第２のポンプ付き容器１０Ｑにおける各ポンプ装置１３，１３のポンピング動作を行ったときに、第１のポンプ付き容器１０Ｐの内容物を、第２のポンプ付き容器１０Ｑの内容物よりもノズル部１４から先に吐出させることができる。
【００３５】
ポンプ本体１５は、容器本体１１の口部１１ｂの内周面１１ｃと密着する外周面部分１６を有しており、この外周面部分１６が容器本体１１の口部１１ｂの内周面１１ｃに密着されて容器本体１１で覆われた状態で、容器本体１１の口部１１ｂに固定されているので、容器本体１１の口部１１ｂから突出する部分を実質的にポンプ装置１３のノズル部１４のみとすることができる。そのため、２連式吐出容器１全体のコンパクト化を実現することができる。
【００３６】
次に、本発明の２連式吐出容器の他の実施形態について説明する。他の実施形態については、上述した第１実施形態と異なる点を主として説明し、同様の点は同一の符号を付して説明を省略する。特に説明しない点は、第１実施形態についての説明が適宜適用される。他の実施形態においても、第１実施形態と同様の効果が奏される。
【００３７】
第２実施形態においては、第１実施形態と同様に、第１のポンプ付き容器１０Ｐにおけるノズル部１４の流路１４ｂの容積Ｖ１が、第２のポンプ付き容器１０Ｑにおけるノズル部１４の流路１４ｂの容積Ｖ２よりも小さくなっているが、その実現手段が異なる。
【００３８】
具体的には、第１のポンプ付き容器１０Ｐにおけるノズル部１４の流路１４ｂ及び第２のポンプ付き容器１０Ｑにおけるノズル部１４の流路１４ｂは、何れもクランク状を有し、その長さが実質的に同じである。一方、図４に示すように、第１のポンプ付き容器１０Ｐにおけるノズル部１４の流路１４ｂの断面積が一定であるのに対し、第２のポンプ付き容器１０Ｑにおけるノズル部１４の吐出口１４ａ近傍の部分の断面積が、それ以外の部分の断面積（この断面積は第１のポンプ付き容器１０Ｐにおけるノズル部１４の流路１４ｂの断面積と同じである）よりも大きくなっている。そのため、第１のポンプ付き容器１０Ｐにおけるノズル部１４の流路１４ｂの容積Ｖ１が、第２のポンプ付き容器１０Ｑにおけるノズル部１４の流路１４ｂの容積Ｖ２よりも小さくなっている。
【００３９】
第２実施形態においては、第１のポンプ付き容器１０Ｐにおけるノズル部１４の流路１４ｂの長さＬ１と、第２のポンプ付き容器１０Ｑにおけるノズル部１４の流路１４ｂの長さＬ２とは実質的に同じになっている。
尚、ノズル部１４の流路１４ｂの断面積を異ならせる構成についての制限はなく、例えば、第１のポンプ付き容器１０Ｐにおけるノズル部１４の流路１４ｂの断面積を、流路１４ｂの全域に亘って、第２のポンプ付き容器１０Ｑにおけるノズル部１４の流路１４ｂの断面積よりも小さくしてもよい。
ノズル部１４の流路１４ｂの断面積を異ならせると共に、流路１４ｂの長さを異ならせることにより、流路１４ｂの容積を異ならせることができる。
【００４０】
第２実施形態の２連式吐出容器１によれば、第１実施形態と同様の効果が奏される他、ノズル部１４の流路１４ｂの断面積を大きくすることで、粘性の高い内容物であっても軽い押圧で吐出が可能となる。
【００４１】
本発明は、前述した実施形態に限定されることなく種々の変更が可能である。例えば、前述した各実施形態における各構成を適宜組み合わせることができる。
容器本体１１は、前記実施形態においては、可撓性を有するシート材料からなる筒状体（つまりチューブ）であるが、本発明においては、チューブ以外の構成、例えば、袋状容器でもよい。
【００４２】
ノズル部１４の流路１４ｂの屈曲形状は、上述した実施形態におけるノズル部１４の流路１４ｂの屈曲形状に制限されない。
ポンピング手段６の構成は、上述した実施形態のようにレバーから構成されたものに制限されず、ノズル部１４と一体化されたものや、押しボタン構造を有するものでもよい。
ポンプ本体１５の外周面部分１６と容器本体１１の口部１１ｂの内周面１１ｃとを密着接合させる手段は、ヒートシールの他、ホットメルト系接着剤でもよい。
【図面の簡単な説明】
【００４３】
【図１】図１は、本発明の第１実施形態の２連式吐出容器を示す正面図である。
【図２】図２は、第１実施形態の２連式吐出容器の上部の部分拡大断面図である。
【図３】図３は、第１実施形態の２連式吐出容器のポンプ本体等の部分拡大断面図である。
【図４】図４は、本発明の第２実施形態の２連式吐出容器の上部の部分拡大断面図（図２対応図）である。
【符号の説明】
【００４４】
１  ２連式吐出容器
１０、１０Ｐ、１０Ｑ  ポンプ付容器
１１  容器本体
１１ａ  下端部（一端部）
１１ｂ  口部
１１ｃ  内周面
１３  ポンプ装置
１４、１４Ｐ、１４Ｑ  ノズル部
１４ａ  吐出口
１４ｂ  流路
１５  ポンプ本体
１６  外周面部分
１９  計量室
５  ホルダ
６  ポンピング手段
【図１】
0005080382.tif 000002
【図２】
0005080382.tif 000003
【図３】
0005080382.tif 000004
【図４】
0005080382.tif 000005